(57)【要約】【課題】回路基板に電気を供給する配線をケースカバーに形成された配線孔から外側に突出した部分における封鎖の適切化を図る。【解決手段】ケースベース１とケースカバー２とが互いに組み合わされ、被覆部材９が閉鎖空間２７に格納され、リブ２０と被覆部材９との間の間隔２６が不正操作部材７０の太さＤよりも小さい寸法に設定され、被覆部材９が配線孔８を覆い隠し、人がケースベース１とケースカバー２とからなる収納箱の外側から配線５を引っ張っても、被覆部材９がリブ２０に接触し、配線コネクタ６が基板コネクタ４から取り外されることがなく、不正操作部材７０が収納箱の外側から隙間３２に挿入されても、被覆部材９およびリブ２０が不正操作部材７０の閉鎖空間２７への侵入を阻止する。配線孔８を配線コネクタ６より小さして被覆部材９を省略してもよい。【選択図】図１
2006247063.tif 000002
【特許請求の範囲】
【請求項１】
基板コネクタの実装された回路基板と、回路基板における基板コネクタの位置する面の反対側に位置する反対側面を覆い隠すケースベースと、回路基板における基板コネクタの位置する面および基板コネクタを覆い隠すケースカバーと、ケースベースとケースカバーとが互いに組み合わせられて形成された収納箱の内部における閉鎖空間と、閉鎖空間に設けられる被覆部材と、回路基板に電気を供給するための配線と、配線の一端に結合される配線コネクタと、ケースカバーに配線を通すために基板コネクタと対応する位置に形成された配線孔とを備え、基板コネクタと配線コネクタとが互いに嵌め合わされ、基板コネクタと配線コネクタおよび回路基板が閉鎖空間に格納され、配線が配線孔を経由して閉鎖空間と収納箱の外側とに貫通され、配線の閉鎖空間における一端が配線コネクタに結合され、被覆部材が閉鎖空間から配線孔を塞ぐ大きさに形成されたことを特徴とする遊技機の回路基板収納箱。
【請求項２】
配線が閉鎖空間から収納箱の外側に引き出された他端に結合された配線コネクタを備え、配線孔が配線の他端に結合された配線コネクタを閉鎖空間と収納箱の外側とに貫通する大きさに形成されたことを特徴とする請求項１記載の遊技機の回路基板収納箱。
【請求項３】
基板コネクタの実装された回路基板と、回路基板における基板コネクタの位置する面の反対側に位置する反対側面を覆い隠すケースベースと、回路基板における基板コネクタの位置する面および基板コネクタを覆い隠すケースカバーと、ケースベースとケースカバーとが互いに組み合わせられて形成された収納箱の内部における閉鎖空間と、回路基板に電気を供給するための配線と、配線の一端に結合される配線コネクタと、ケースカバーに配線を通すために基板コネクタと対応する位置に形成された配線孔とを備え、基板コネクタと配線コネクタとが互いに嵌め合わされ、基板コネクタと配線コネクタと回路基板が閉鎖空間に格納され、配線が配線孔を経由して閉鎖空間と収納箱の外側とに貫通され、配線の閉鎖空間における一端が配線コネクタに結合され、配線孔が配線コネクタで塞がれる大きさに形成されたことを特徴とする遊技機の回路基板収納箱。
【請求項４】
閉鎖空間が配線孔を塞ぐ大きさの被覆部材を備えたことを特徴とする請求項３記載の遊技機の回路基板収納箱。
【請求項５】
ケースカバーが配線孔の周縁部より被覆部材または配線コネクタの方向に突出するリブを備えことを特徴とする請求項１または請求項４記載の遊技機の回路基板収納箱。
【請求項６】
ケースカバーが配線孔の周縁部より被覆部材または配線コネクタの方向に突出するリブを備え、被覆部材または配線コネクタがケースカバーの方向に突出する隔壁を備え、リブと隔壁とが互いに嵌め合わされたことを特徴とする請求項１または請求項４記載遊技機の回路基板収納箱。
【発明の詳細な説明】
【技術分野】
【０００１】
本発明は、回路基板に電気を供給する配線をケースカバーに形成された配線孔から外側に突出した部分における封鎖が適切な遊技機の回路基板収納箱に関する。
【背景技術】
【０００２】
遊技機の回路基板収納箱は、回路を構成する電気部品の実装された回路基板が収納箱の一方を形成するケースベースの上に配置され、収納箱の他方を形成するケースカバーが回路基板における外部から接続または操作の必要な電気部品を除いた電気部品を覆うように被せられ、ケースベースと回路基板およびケースカバーが止ねじで締結され、被覆部材がケースカバーから外部に露出された回路基板の実装領域に取り付けられ、被覆部材がケースカバーより外部に露出された回路基板における印刷配線と呼ばれる箔状の導体を心無い人からの不正行為から保護している。しかしながら、図１６に示すように、回路基板６１の裏面はケースベース６０で全体的に覆われるものの、回路基板６１の電気部品６３；６４の実装された表面の一部がケースカバー６２で覆われることなく外部に露出している。そして、被覆部材６５には部品挿入孔６６が形成されており、被覆部材６５がケースカバー６２から露出した部分における電気部品６３の上方から被せられる場合に、当該電気部品６３の上部が部品挿入孔６６を貫通して被覆部材６５より上方に突出し、被覆部材６５がケースカバー６２から露出した電気部品６３とケースカバー６２で覆われた電気部品６４とを接続する導体６７を覆う構造である（特許文献１の図３参照）。しかし、電気部品６３の回路基板６１の表面から上方に延びる外側面は、回路基板６１の表面に対し垂直な平坦面でなく、回路基板６１の表面と平行な方向に凹凸６８になっているのが一般的である。このため、ケースカバー６２で覆われていない電気部品６３が被覆部材６５の部品挿入孔６６に挿入され、被覆部材６５が回路基板６１に被せられた場合、部品挿入孔６６の周縁部と電気部品６３との間には隙間６９が存在する。よって、心無い人が、上記隙間６９から棒状の不正操作部材７０をケースカバー６２で覆われた内部空間７１に挿入し、内部空間７１における電気部品６４や被覆部材６５で覆われていない導体６７に不正操作部材７０で不正を行うという欠点があった。また、図１７に示すように、ケースカバー６２から露出した電気部品６３に被覆部７２を設け、被覆部７２がケースカバー６２から露出した電気部品６３とケースカバー６２で覆われた電気部品６４とを接続する導体６７を覆う構造である（特許文献１の図１６参照）。このため、心無い人が、ケースカバー６２から露出した回路基板６１とケースカバー６２との間に形成された隙間７３から棒状の不正操作部材７０をケースカバー６２で覆われた内部空間７１に挿入し、内部空間７１における電気部品６４や導体６７に不正操作部材７０で不正を行う行為が行われるという欠点があった。図１６および図１７に示した構造は、回路基板６１の電気部品６３；６４の実装された表面の一部がケースカバー６２から外部に露出し、被覆部材６５または被覆部７２がケースカバー６２から露出した電気部品６３とケースカバー６２で覆われた電気部品６４とを接続する導体６７を覆うだけで、回路基板６１の電気部品６３；６４の実装された表面がケースカバー２で全体的に覆われていないため、ケースカバー６２で覆われた内部空間における電気部品６４や導体６７が不正行為を受けるという欠点があった。また、特許文献２で開示されたように、回路基板に実装されたコネクタと当該コネクタに嵌め込まれたコネクタをカバー部材で覆い、回路基板に実装されたコネクタに嵌め込まれたコネクタに結線された配線をカバー部材の内部からカバー部材の外側に引き出した構造を知られているが、不正操作部材が配線を引き出したカバー部材の孔を経由して内部空間に挿入され、不正行為を受けるという欠点がある。
【特許文献１】特開平１０−２８６３６５号公報
【特許文献２】特開２０００−１４０３５４号公報
【発明の開示】
【発明が解決しようとする課題】
【０００３】
発明が解決しようとする問題点は、回路基板に対する不正行為が行われるという点である。
【課題を解決するための手段】
【０００４】
１つの発明に係る遊技機の回路基板収納箱は、  基板コネクタの実装された回路基板と、回路基板における基板コネクタの位置する面の反対側に位置する反対側面を覆い隠すケースベースと、回路基板における基板コネクタの位置する面および基板コネクタを覆い隠すケースカバーと、ケースベースとケースカバーとが互いに組み合わせられて形成された収納箱の内部における閉鎖空間と、閉鎖空間に設けられる被覆部材と、回路基板に電気を供給するための配線と、配線の一端に結合される配線コネクタと、ケースカバーに配線を通すために基板コネクタと対応する位置に形成された配線孔とを備え、基板コネクタと配線コネクタとが互いに嵌め合わされ、基板コネクタと配線コネクタおよび回路基板が閉鎖空間に格納され、配線が配線孔を経由して閉鎖空間と収納箱の外側とに貫通され、配線の閉鎖空間における一端が配線コネクタに結合され、被覆部材が閉鎖空間から配線孔を塞ぐ大きさに形成されたことを最も主要な特徴とする。１つの発明に係る遊技機の回路基板収納箱は、配線が閉鎖空間から収納箱の外側に引き出された他端に結合された配線コネクタを備え、配線孔が配線の他端に結合された配線コネクタを閉鎖空間と収納箱の外側とに貫通する大きさに形成されてもよい。もう１つの発明に係る遊技機の回路基板収納箱は、  基板コネクタの実装された回路基板と、回路基板における基板コネクタの位置する面の反対側に位置する反対側面を覆い隠すケースベースと、回路基板における基板コネクタの位置する面および基板コネクタを覆い隠すケースカバーと、ケースベースとケースカバーとが互いに組み合わせられて形成された収納箱の内部における閉鎖空間と、回路基板に電気を供給するための配線と、配線の一端に結合される配線コネクタと、ケースカバーに配線を通すために基板コネクタと対応する位置に形成された配線孔とを備え、基板コネクタと配線コネクタとが互いに嵌め合わされ、基板コネクタと配線コネクタと回路基板が閉鎖空間に格納され、配線が配線孔を経由して閉鎖空間と収納箱の外側とに貫通され、配線の閉鎖空間における一端が配線コネクタに結合され、配線孔が配線コネクタで塞がれる大きさに形成されたことを最も主要な特徴とする。もう１つの発明に係る遊技機の回路基板収納箱は、閉鎖空間が配線孔を塞ぐ大きさの被覆部材を備えもよい。２つの発明に係る遊技機の回路基板収納箱は、ケースカバーが配線孔の周縁部より被覆部材または配線コネクタの方向に突出するリブを備えてもよい。２つの発明に係る遊技機の回路基板収納箱は、ケースカバーが配線孔の周縁部より被覆部材または配線コネクタの方向に突出するリブを備え、被覆部材または配線コネクタがケースカバーの方向に突出する隔壁を備え、リブと隔壁とが互いに嵌め合わされてもよい。被覆部材が配線コネクタまたはケースカバーと別体に形成され、被覆部材が配線コネクタに嵌め込まれるかまたは配線コネクタに被せられるかまたは配線コネクタに結合されるかまたはケースカバーに結合されることによって、被覆部材が閉鎖空間に配置される形態であればよい。
【発明の効果】
【０００５】
１つの発明に係る遊技機の回路基板収納箱は、ケースカバーとケースベースとからなる収納箱の内部に形成された閉鎖空間に配置された被覆部材が配線と配線孔との間の隙間を全体的に塞ぐために、収納箱の外側から配線が人によって引っ張られても、被覆部材がケースカバーに接触し、配線コネクタが閉鎖空間に配置された基板コネクタから取り外されることがないという利点があるうえ、不正操作部材が収納箱の外側から配線と配線孔との間の隙間に挿入されても、被覆部材が不正操作部材の閉鎖空間への侵入を阻止し、回路基板に対する不正行為が防止できるという利点がある。１つの発明に係る遊技機の回路基板収納箱において、配線が閉鎖空間から収納箱の外側に引き出された他端に結合された配線コネクタを備え、配線孔が配線の他端に結合された配線コネクタを閉鎖空間と収納箱の外側とに貫通する大きさに形成されれば、両端に配線コネクタを結合した形態の配線を使用することができるという利点がある。もう１つの発明に係る遊技機の回路基板収納箱は、ケースカバーとケースベースとからなる収納箱の内部に形成された閉鎖空間に配置された配線コネクタが配線と配線孔との間の隙間を全体的に塞ぐために、収納箱の外側から配線が人によって引っ張られても、配線コネクタがケースカバーに接触し、配線コネクタが閉鎖空間に配置された基板コネクタから取り外されることがないという利点があるうえ、不正操作部材が収納箱の外側から配線と配線孔との間の隙間に挿入されても、配線コネクタが不正操作部材の閉鎖空間への侵入を阻止し、回路基板に対する不正行為が防止できるという利点がある。もう１つの発明に係る遊技機の回路基板収納箱において、配線が閉鎖空間から収納箱の外側に引き出された他端に結合された配線コネクタを備え、配線孔が配線の他端に結合された配線コネクタを閉鎖空間と収納箱の外側とに貫通する大きさに形成されれば、両端に配線コネクタを結合した形態の配線を使用することができるという利点がある。２つの発明に係る遊技機の回路基板収納箱において、ケースカバーが配線孔の周縁部より被覆部材または配線コネクタの方向に突出するリブを備えれば、ケースカバーにおける配線孔の周りの強度がリブによって向上し、ケースカバーにおける配線孔の周りが破壊されることを防止することができるという利点がある。これら２つの発明に係る遊技機の回路基板収納箱において、ケースカバーが配線孔の周縁部より被覆部材または配線コネクタの方向に突出するリブを備え、被覆部材または配線コネクタがケースカバーの方向に突出する隔壁を備え、リブと隔壁とが互いに嵌め合わされれば、不正操作部材の閉鎖空間への侵入を一層良好に阻止することができるという利点がある。
【発明を実施するための最良の形態】
【０００６】
図１乃至図３は、発明を実施するための最良の形態である。図１は、遊技機の回路基板収納箱における主要部の断面を示す。図２は、回路基板収納箱を分解して示す。図３は、回路基板収納箱を組み立てる工程を示す。
【０００７】
図２を参照し、遊技機の回路基板収納箱について説明する。回路基板収納箱は、収納箱の一方を形成するケースベース１、収納箱の他方を形成するケースカバー２、方形な回路基板３、回路基板３に実装された基板コネクタ４、回路基板３に電気を供給するための配線５、配線５の一端に結合された配線コネクタ６、タッピングスクリューのような止ねじ７などの構成部品を備え、そして、基板コネクタ４と配線コネクタ６とが互いに嵌め合わされ、配線５における配線コネクタ６の反対側に位置する他端がケースカバー２に形成された配線孔８にケースカバー２の内側から外側に引き出され、回路基板３がケースベース１とケースカバー２との間に挟まれる格好で内包され、ケースベース１とケースカバー２とが互いに組み合わされて止ねじ７で結合され、配線コネクタ６に設けられた被覆部材９が配線孔８をケースカバー２の内側から塞ぐことによって、配線５や配線コネクタ６がケースベース１とケースカバー２とからなる収納箱の外側から引き抜かれることを防止し、不正操作部材７０がケースベース１とケースカバー２とからなる収納箱の外側から内部に挿入されることを防止するようになっている。配線５は、回路基板３に遊技機に設けられた回路基板３以外の制御装置の回路基板または検出器または電気的なアクチュエータまたは電源装置などの電気部品を接続するための配線である。
【０００８】
回路基板収納箱の各構成部品の構造について詳述する。ケースベース１は、回路基板３における基板コネクタ４の位置する面の反対側に位置する反対側面を覆い隠すものであって、光を透過する性質の有る無色の合成樹脂により、ベース基盤１１、側壁１２、支持台１３、ねじ取付孔１４を備えた、一体の形状に形成された構造である。ベース基盤１１は、回路基板３より大きな方形である。側壁１２は、ベース基盤１１の周縁からケースカバー２と向き合う方向としての一方向にベース基盤１１のケースカバー２と向き合う方向の内側面と直角となるように突出し、ベース基盤１１の周方向で、互いに連接される。この互いに連接された側壁１２で囲まれた方形な開口は、回路基板３より大きな方形である。支持台１３は、ベース基盤１１の四隅に個別に突出する。支持台１３におけるケースカバー２と向き合う方向の表面は、ベース基盤１１におけるケースカバー２と向き合う方向の内側面と平行な１つの平面内に位置する。支持台１３の表面とベース基盤１１の内側面との間の寸法である高さＨ１は、側壁１２におけるベース基盤１１の内側面からの高さＨ２よりも低いので、回路基板３の四隅が支持台１３の表面に個別に載せられた場合、回路基板３の周縁部における端面が、側壁１２に、ベース基盤１１の内側面と平行な方向で対向するように、回路基板３が側壁１２で囲まれた方形な開口の内部に収納される。
【０００９】
ケースカバー２は、回路基板３における基板コネクタ４の位置する面と基板コネクタ４および電気部品２２を覆い隠すものであって、光を透過する性質の有る無色の合成樹脂により、配線孔８、カバー基盤１６、側壁１７、受止部１８、ねじ挿入孔１９、リブ２０を備えた、一体の形状に形成された構造である。配線孔８は、カバー基盤１６の一側部に、カバー基盤１６の内外側面への貫通孔として設けられ、ケースベース１とケースカバー２とが回路基板３を内包するように組み合わされる場合、基板コネクタ４に結合された配線コネクタ６の配線５および配線コネクタ２４をケースベース１とケースカバー２とからなる収納箱の内部から外部に引き出すための開口であって、複数の基板コネクタ４と個別に対応するように位置する。配線孔８の口径は、配線５における配線コネクタ６の反対側に位置する他端に結合された配線コネクタ２４が通過可能な大きさであるものの、被覆部材９を配線コネクタ６の側から見た場合の配線コネクタ６から外側に突出した平面的な外形より少なくとも小さく、被覆部材９が通過不可能な大きさである。
【００１０】
カバー基盤１６は、ケースベース１における側壁１２の外側縁で形成される方形な外形より大きな方形である。側壁１７は、カバー基盤１６の周縁からケースベース１と向き合う方向としての一方向にカバー基盤１６のケースベース１と向き合う方向の内側面と直角となるように突出し、カバー基盤１６の周方向で、互いに連接される。この互いに連接された側壁１７で囲まれた方形な開口は、ケースベース１における側壁１２の外側縁で形成される方形な外形より大きな方形である。受止部１８は、ケースベース１とケースカバー２とが回路基板３を内包するように組み合わされた場合、支持台１３と協同して回路基板３を押される部分であって、カバー基盤１６の四隅に個別に位置し、カバー基盤１６におけるケースベース１と向き合う方向の内側面の方向に突出する。ねじ挿入孔１９は、受止部１８の内外側面への貫通孔として形成され、ケースベース１とケースカバー２とが回路基板３を内包するように組み合わされた場合、ケースベース１のねじ取付孔１４と回路基板３のねじ挿入孔２３と対応するように位置する。リブ２０は、配線孔８の周縁からケースカバー２の裏面側に突出し、配線孔８の周方向に連接された、環状である。
【００１１】
回路基板３は、プリント配線板により構成され、基板コネクタ４以外に、ＣＰＵ、ＲＯＭ、ＲＡＭ、入力インターフェース、出力インターフェース、抵抗器、コンデンサ、コイル、ダイオード、トランジスタなど種々の電気部品２２も実装される。基板コネクタ４や電気部品２２は、回路基板３に、挿入実装または面実装により実装され、基板コネクタ４の電気接続端子や電気部品の電気接続端子が回路基板３に設けられたプリント配線のような箔状の配線に半田付けされて回路基板３に固定される。回路基板３の四隅には、ねじ挿入孔２３が、回路基板３におけるケースベース１とケースカバー２との双方に向き合う方向の表裏面への貫通孔として形成される。
【００１２】
配線５は、直線的に棒状の可撓性を有する導体に絶縁被覆を施した絶縁被覆膜電線により構成される。配線５の一端には配線コネクタ６が結合され、配線の他端には配線コネクタ２４が結合される。具体的には、配線５における絶縁被覆が剥がされた導体の一端が、配線コネクタ６における合成樹脂からなるコネクタボディで支持された電気接続端子の一端に接続され、配線コネクタ６が配線５の一端に結合される。配線５における絶縁被覆が剥がされた導体の他端が、配線コネクタ２４における合成樹脂からなるコネクタボディで支持された電気接続端子の一端に接続され、配線コネクタ２４が配線５の他端に結合される。配線コネクタ６のコネクタボディには、被覆部材９が、配線コネクタ６のコネクタボディにおける配線５の側における端部から外側に突出し、コネクタボディの外周を囲む板状に設けられる。被覆部材９は、配線コネクタ６のコネクタボディと同じ材料で、コネクタボディに一体に形成される。配線コネクタ２４は、配線コネクタ６と雌雄の違いがあっても無くてもよい。配線コネクタ２４のコネクタボディと配線コネクタ６のコネクタボディとは同じ大きさであっても異なる大きさでもよい。
【００１３】
図３を参照し、回路基板収納箱の組み立て方について説明する。先ず、図３のａ図に示すように、基板コネクタ４が上方に向けられ、回路基板３における基板コネクタ４の反対側に位置する裏面とベース基盤１１の内側面とが互いに向かい合わせられ、回路基板３の四隅が支持台１３の上に載せられる。回路基板３における基板コネクタ４の反対側に位置する裏面は、回路基板３における基板コネクタ４の位置する面の反対側に位置する反対側面と同義語である。また、配線５に結線された配線コネクタ６が回路基板３に実装された基板コネクタ４に嵌め込まれ、配線コネクタ６の電気接続端子と基板コネクタ４の電気接続端子とが互いに接続される。これによって、配線コネクタ６の電気接続端子が、基板コネクタ４の電気接続端子および回路基板３の箔状の配線を経由して回路基板３の電気部品２２と接続される。配線コネクタ６が基板コネクタ４に嵌め込まれるのは、回路基板３を支持台１３に搭載する前の時点または後の時点のどちらでもよい。
【００１４】
次に、図３のｂ図に示すように、カバー基盤１６の内側面が回路基板３の側に向けられ、ケースカバー２が回路基板３およびケースベース１に被せられる。この場合、配線コネクタ２４が、ケースカバー２のケースベース１と向き合う方向から、配線孔８に挿入され、ケースカバー２の外側に引き出される。これによって、配線５における配線コネクタ２４の側の部分もケースカバー２のケースベース１と向き合う方向からケースカバー２の外側に引き出される。
【００１５】
そして、図３のｃ図に示すように、ケースカバー２の側壁１７がケースベース１における側壁１２の外側に嵌めこまれ、ケースカバー２のカバー基盤１６および側壁１７とで囲まれた空間が回路基板３と基板コネクタ４と電気部品２２と配線コネクタ６および被覆部材９を覆い隠し、リブ２０が配線コネクタ６の被覆部材９と接触するかまたは接触する程度に近づいて対向し、被覆部材９が配線孔８を覆い隠す。リブ２０が配線コネクタ６の被覆部材９と接触する程度に近づいて対向した場合における、リブ２０と被覆部材９との間の隙間２６は、図１における不正操作部材７０の太さＤよりも小さい寸法に設定されている。図３において、２８は基板コネクタ４の電気接続端子、２９は回路基板３のバンプ、３０は回路基板３およびバンプ２９に形成され電気接続端子２８を挿入した貫通孔、３１は電気接続端子２８とバンプ２９とを結合した半田を示す。バンプ２９は、回路基板３に印刷配線のような導体と同じ材料からなる箔状の導体により半田３１を付けるために設けられた部分である。
【００１６】
その後、図２における止ねじ７が、ケースカバー２の外側からねじ挿入孔１９と回路基板３のねじ挿入孔２３とを順に通過してケースベース１のねじ取付孔１４に締結され、回路基板収納箱が完成する。この完成した回路基板収納箱では、回路基板３と基板コネクタ４と電気部品２２と配線コネクタ６および被覆部材９が、ケースベース１とケースカバー２とからなる収納箱で囲まれた内部の閉鎖空間２７に格納され、配線５および配線コネクタ２４が配線孔８を貫通してケースベース１とケースカバー２とからなる収納箱の外側に配置される。
【００１７】
最良の形態における回路基板収納箱によれば、図１に示すように、配線コネクタ６が配線５と配線孔８との間の隙間３２を全体的に塞ぐための被覆部材９を備え、ケースベース１とケースカバー２とが互いに組み合わされて止ねじ７で結合されることによって、回路基板３と基板コネクタ４と電気部品２２と配線コネクタ６および被覆部材９が閉鎖空間２７に格納され、リブ２０が配線コネクタ６の被覆部材９と接触するかまたは接触する程度に近づいて対向し、被覆部材９が配線孔８を覆い隠した構造になっている。このため、小数の心無い遊技者が収納箱の外側から配線５を引っ張っても、被覆部材９がリブ２０に接触し、配線コネクタ６が基板コネクタ４から取り外されることがない。よって、ケースベース１とケースカバー２とからなる収納箱の外側から、配線５を引っ張ったり、配線コネクタ６を取り外したりして、別の不正な配線に結線されたコネクタを基板コネクタ４に接続するという、小数の心無い遊技者による不正操作を防止することができるという利点がある。
【００１８】
ケースカバー２が配線孔８の周縁部より閉鎖空間２７の方向に突出するリブ２０を備え、配線孔８の周縁部がリブ２０で補強された構造である。このため、配線５が収納箱の外側から引っ張られ、被覆部材９がリブ２０を閉鎖空間２７の方向からケースカバー２の外側の方向に押されても、ケースカバー２における配線孔８の周りが破壊されることを防止することができるという利点がある。配線孔８の周縁部がリブ２０で補強されているので、配線孔８の形成されたカバー基盤１６における内外側面の方向の厚さＴを薄くし、収納箱の軽量化を図ることもできるという利点がある。
【００１９】
リブ２０が配線コネクタ６の被覆部材９と接触するかまたは接触する程度に近づいて対向した隙間２６は、不正操作部材７０の太さＤよりも小さい寸法に設定された構造になっている。そのため、不正操作部材７０がケースベース１とケースカバー２とからなる収納箱の外側から隙間３２に挿入されても、被覆部材９およびリブ２０が不正操作部材７０の閉鎖空間２７への侵入を阻止する。よって、回路基板３の基板コネクタ４に嵌め込まれた配線コネクタ６の配線５をケースカバー２の内部から配線孔８を経由して外側に突出した部分における封鎖が、不正操作部材７０の閉鎖空間２７への侵入を適切に阻止し、閉鎖空間２７における電気部品２２と基板コネクタ４とを接続する回路基板３における箔状の導体や電気部品２２が不正行為を受けることはないという利点がある。
【００２０】
配線５が収納箱の外側から引っ張れても、リブ２０と配線コネクタ６の被覆部材９との間における隙間２６が基板コネクタ４の電気接続端子と配線コネクタ６の電気接続端子とを維持可能な寸法に設定されていれば、配線５が収納箱の外側から引っ張られ、被覆部材９がリブ２０に閉鎖空間２７の方向から収納箱の外側の方向に接触しても、基板コネクタ４の電気接続端子と配線コネクタ６の電気接続端子との接続が適切に確保できるという利点がある。
【産業上の利用可能性】
【００２１】
図４および図５は発明を実施するための第１の異なる形態である。図４は、回路基板収納箱における主要部を分解して示す。図５は、回路基板収納箱における主要部の断面を示す。
【００２２】
図４を参照し、回路基板収納箱における主要部の構造について説明する。被覆部材９が配線コネクタ６と別に形成されたことを特徴とする。被覆部材９にはボディ収容部３４およびコネクタ用孔３５が設けられる。ボディ収容部３４は、被覆部材９の配線コネクタ６と向き合う方向の内側面から内部への窪みとして形成される。ボディ収容部３４における被覆部材９の内側面での口径は、配線コネクタ６のコネクタボディにおける配線５の側の部分を収納し得る大きさである。ボディ収容部３４の深さ３６は、隙間２６よりも大きな寸法である。コネクタ用孔３５は、ボディ収容部３４の内部に位置し、被覆部材９に、被覆部材９の外側面とボディ収容部３４の底面とへの貫通孔として形成される。コネクタ用孔３５の口径は、配線コネクタ２４が通過可能な大きさである。配線コネクタ２４のコネクタボディは、配線コネクタ６のコネクタボディよりも小さく、コネクタ用孔３５を貫通する大きさである。
【００２３】
そして、配線コネクタ２４がボディ収容部３４の開口した側からコネクタ用孔３５に挿入されて被覆部材９の内側面から外側面の方向に引き出される。これよって、配線５における配線コネクタ２４の側の部分も被覆部材９の外側に引き出され、配線コネクタ６のコネクタボディがボディ収容部３４に収容され、配線コネクタ６のコネクタボディがボディ収容部３４におけるコネクタ用孔３５の周りの底面に接触し、それ以上、配線コネクタ６が被覆部材９の内部に進入しないように、配線コネクタ６が被覆部材９の内側面と平行な方向に移動しないように、配線コネクタ６；２４を有する配線５と被覆部材９とが相互に組み合わせられる。
【００２４】
図５を参照し、回路基板収納箱の組み立てられた構造について説明する。配線コネクタ２４がボディ収容部３４の開口した側からコネクタ用孔３５に挿入されて被覆部材９の内側面から外側面の方向に引き出される。これよって、配線５における配線コネクタ２４の側の部分も被覆部材９の外側に引き出され、配線コネクタ６のコネクタボディがボディ収容部３４に収容され、配線コネクタ６のコネクタボディがボディ収容部３４におけるコネクタ用孔３５の周りの底面に接触し、それ以上、配線コネクタ６が被覆部材９の内部に進入しないように、配線コネクタ６が被覆部材９の内側面と平行な方向に移動しないように、配線コネクタ６；２４を有する配線５と被覆部材９とが相互に組み合わせられる。
【００２５】
第１の異なる形態における回路基板収納箱によれば、被覆部材９が配線コネクタ６と別に形成されているので、配線コネクタ６が特殊な形状とならず、配線コネクタ６として周知の構造のコネクタを使用することができるという利点がある。被覆部材９が配線コネクタ６に接着または接合または止ねじなどで固定してよいが、被覆部材９を配線コネクタ６に接着または接合または止ねじなどで固定する必要がないので、被覆部材９を配線コネクタ６に接着または接合または止ねじなどで固定しなければ、構造が簡単であるという利点がある。ボディ収容部３４の深さ３６が隙間２６よりも大きな寸法になっているので、被覆部材９が配線コネクタ６から脱落することがないという利点がある。
【００２６】
図６および図７は発明を実施するための第２の異なる形態である。図６は、回路基板収納箱における主要部を分解して示す。図７は、回路基板収納箱における主要部の断面を示す。
【００２７】
図６を参照し、回路基板収納箱における主要部の構造について説明する。被覆部材９が隔壁３７を備えたことを特徴とする。隔壁３７は、被覆部材９の周縁から配線コネクタ２４と向き合う方向としての一方向に突出し、被覆部材９の周方向で、互いに連接される。この互いに連接された隔壁３７に囲まれた方形な開口は、ケースカバー２におけるリブ２０の外側縁で形成される方形な外形より大きな方形である。
【００２８】
図７を参照し、回路基板収納箱の組み立てられた構造について説明する。回路基板３と基板コネクタ４と電気部品２２と配線コネクタ６および被覆部材９が閉鎖空間２７に格納され、ケースベース１とケースカバー２とが互いに結合された場合、リブ２０が隔壁３７の内側に位置し、隔壁３７がリブ２０の周りを囲むように、リブ２０と隔壁３７とが互いに嵌め合わされているので、不正操作部材７０が隙間３２から隙間２６にたとえ進入しても隔壁３７に突き当たり、リブ２０と隔壁３７との間の隙間３８に進入することができず、不正操作部材７０の閉鎖空間２７への侵入を一層良好に阻止することができるという利点がある。この隔壁３７は、第１の異なる形態における被覆部材９に設けてもよい。
【００２９】
図８および図９は発明を実施するための第３の異なる形態である。図８は、回路基板収納箱における主要部を分解して示す。図９は、回路基板収納箱における主要部の断面を示す。
【００３０】
図８を参照し、回路基板収納箱における主要部の構造について説明する。配線孔８がケースカバー２に複数の配線コネクタ６の全部を挿入する１つの貫通孔として形成され、被覆部材９が配線孔８の孔径よりも大きな板面を有し、ボディ収容部３４およびコネクタ用孔３５が被覆部材９に複数の配線コネクタ６と対応して設けられたことを特徴とする。図７に示す隔壁３７を削除した形態であるが、隔壁３７を設けた形態であってもよい。
【００３１】
図９を参照し、回路基板収納箱の組み立てられた構造について説明する。回路基板３と基板コネクタ４と電気部品２２と配線コネクタ６および被覆部材９が閉鎖空間２７に格納され、ケースベース１とケースカバー２とが互いに結合された場合、被覆部材９が、複数の配線コネクタ６どうし間の隙間、複数の配線５と複数の配線孔８との間の隙間を塞ぐ。このため、遊技機が異なる種類に交換される機種交換に伴い、回路基板３に実装される複数の基板コネクタ４の個数や複数の基板コネクタ４どうしの実装間隔が変わった場合であっても、ケースカバー２に形成される配線孔８を異なる機種どうしで共通に使用可能な大きさに予め形成しておくことによって、回路基板３と被覆部材９とを交換するだけで、ケースベース１とケースカバー２とを共通に使用することができるという利点がある。
【００３２】
図１０および図１１は発明を実施するための第４の異なる形態である。図１０は、回路基板収納箱における主要部を分解して示す。図１１は、回路基板収納箱における主要部の断面を示す。
【００３３】
図１０を参照し、回路基板収納箱における主要部の構造について説明する。ケースベース１は、支持台３９、取込溝４０、係合部４１、受孔４２、突起４３、固定部４４を備える。ケースベース１には、図２に示す支持台１３およびねじ取付孔１４が設けられていない。支持台３９は、ケースベース１とケースカバー２とが横移動によって組み合わせられる場合、回路基板３のケースベース１と対向する側の裏面を受け止める部分であって、相対峙する側壁１２からベース基盤１１の内側面と対向する方向に向けて突出する。取込溝４０は、ケースベース１とケースカバー２とが横移動によって組み合わせられる場合の横移動と直交する方向に相対峙する一対の側壁１２と支持台３９との間の隙間により、ケースカバー２の側壁１７を収納する溝として形成される。係合部４１は、ケースベース１とケースカバー２とが一対の側壁１２と直交する方向から横移動によって組み合わせられる場合、取込溝４０に収納されたケースカバー２におけるカバー基盤１６の内側面を覆う。受孔４２は、ケースベース１とケースカバー２とが互いに組み合わせられる場合における横移動と直交する方向に存在する右側に位置する側壁１２に設けられ、ケースベース１とケースカバー２とが横移動によって組み合わせられる場合、ケースカバー２の突起４９と嵌め合わされる。突起４３は、ベース基盤１１の１つの側壁１２に相対峙する左縁部から左側に突出し、ケースベース１とケースカバー２とが横移動によって組み合わせられる場合、ケースカバー２の受孔４８と嵌め合わされる。固定部４４は、互いに組み合わせられたケースベース１とケースカバー２とを分離不能に固定するための部分であって、例えば、相対峙する一対の側壁１２における一方の側壁１２から外側に突出する。固定部４４には、窪み状の複数の固定個所部４５を備える。
【００３４】
ケースカバー２は、切欠部４７、受孔４８、突起４９、固定部５０、装置取付部５１を備える。切欠部４７は、ケースベース１とケースカバー２とが横移動によって組み合わせられる場合、ケースベース１における相対峙する一対の側壁１２を逃げる部分である。受孔４８は、ケースベース１とケースカバー２とが互いに組み合わせられる場合における横移動する方向に存在する左側の側壁１７に設けられ、ケースベース１とケースカバー２とが横移動によって組み合わせられる場合、ケースベース１の突起４３に嵌め合わされる。突起４９は、ケースベース１とケースカバー２とが互いに組み合わせられる場合における横移動する方向に存在するから右側の側壁１７から外側に突出し、ケースベース１とケースカバー２とが横移動によって組み合わせられる場合、ケースベース１の受孔４２に嵌め合わされる。固定部５０は、互いに組み合わせられたケースベース１とケースカバー２とを分離不能に固定するための部分であって、ケースベース１の固定部４４と同じ方向に位置するように、１つの側壁１７から外側に突出する。固定部５０には、複数の固定個所部５２を備える。固定個所部５２の内部には、図外の固定ねじが個別に収納されている。
【００３５】
回路基板収納箱の組み立て方について説明する。配線コネクタ２４が、ケースカバー２のケースベース１と向き合う方向から、配線孔８に挿入され、ケースカバー２の外側に引き出される。また、配線コネクタ６が回路基板３に実装された基板コネクタ４に嵌め込まれ、配線コネクタ６の電気接続端子と基板コネクタ４の電気接続端子とが互いに接続される。配線コネクタ２４がケースカバー２の内側から外側に引き出されるのと、配線コネクタ６が基板コネクタ４に嵌め込まれるのとは、どちらが先でもよい。その後、ケースカバー２における側壁１７で囲まれた開口が上方に向けられるように、ケースカバー２がひっくり返され、基板コネクタ４および電気部品２２が下方に向けられるように、回路基板３がひっくり返され、回路基板３がケースカバー２の側壁１７で囲まれた空間に収納される。これによって、回路基板３のねじ挿入孔２３がケースカバー２の図示を省略した基板取付部に嵌め込まれ、回路基板３の周縁部が受止部１８に搭載される。つまり、回路基板３のねじ挿入孔２３とケースカバー２の基板取付部とが互いに嵌め込まれることで、止ねじのような固着具を用いることなく、回路基板３がケースカバー２に取り付けられるので、回路基板３の組立および分解の作業が容易である。
【００３６】
次に、ケースベース１の側壁１２で囲まれた開口とケースカバー２の側壁１７で囲まれた開口とが互いに向き合わされ、ケースベース１の左側の側壁１２とケースカバー２の右側の側壁１７とが互いに近づけられる。そして、図１１に示すように、ケースカバー２の切欠部４７がケースベース１の支持台３９および相対峙する一対の側壁１２を取り込むように、ケースベース１とケースカバー２とが互いに嵌め合わされる。この場合、回路基板３がケースベース１の支持台３９で受け止められる。その後、ケースベース１とケースカバー２とが互いに合わせられたまま、ケースベース１が矢印Ｘ１で示すように左側に向けて横移動され、ケースカバー２が矢印Ｘ２で示すように右側に向けて横移動される。これらの横移動はいずれか一方だけでもよい。それに伴い、取込溝４０がケースカバー２の相対峙する一対の側壁１２の側における受止部１８の外側面を覆い、ケースベース１の受孔４２とケースカバー２の突起４９とが互いに嵌め合わされ、ケースベース１の突起４３とケースカバー２の受孔４８とが互いに嵌め合わされる。これによって、回路基板３が支持台３９と受止部１８とで挟まれて支持される。そして、ケースベース１における右側の側壁１２の内側面とケースカバー２における右側の側壁１７の外側面とが互いに上記横移動で突き当てられることで、固定部４４と固定部５０とが互いに向き合わされる。その後、ケースカバー２における最も左側に位置する１つの固定個所部４５の図外の固定ねじがドライバーのような締結工具でケースベース１における最も左側に位置する１つの固定個所部５２に締結される。これによって、ケースベース１とケースカバー２とが互いに分離不能に結合される。
【００３７】
図１２および図１３は発明を実施するための第５の異なる形態である。図１２は、回路基板収納箱における主要部を分解して示す。図１３は、回路基板収納箱における主要部の断面を示す。
【００３８】
図１２を参照し、回路基板収納箱における主要部の構造について説明する。ケースカバー２に形成された配線孔８が配線コネクタ６におけるコネクタボディの配線５の位置する面で塞がれる大きさである。配線孔８は、配線コネクタ６のコネクタボディおよび配線コネクタ２４のコネクタボディを貫通させることができない大きさである。配線コネクタ２４は、配線５におけるケースカバー２の内側面から配線孔８を経由してケースカバー２の外側に引き出された他端に結合される。図２乃至図１１に示す被覆部材９を削除した形態であることを特徴とする。
【００３９】
図１３を参照し、回路基板収納箱の組み立てられた構造について説明する。回路基板３と基板コネクタ４と電気部品２２および配線コネクタ６が閉鎖空間２７に格納され、ケースベース１とケースカバー２とが互いに結合された場合、配線コネクタ６における配線５の位置する面がカバー基盤１６の内側面に接触するかまたは接触する程度に近づいて対向し、配線コネクタ６が配線５と配線孔８との間の隙間３２を塞ぐ。このため、被覆部材９を削除した簡単な構造で、回路基板３に対する不正行為を防止することができるという利点がある。配線コネクタ６とカバー基盤１６と間の隙間２６に、図外のゴムような弾性体からなる筒体を、隙間３２を囲むように介在させてもよい。この場合、筒体がカバー基盤１６または配線コネクタ６に結合されれば、筒体の紛失が防止できる。筒体に替えて図１に示すリブ２０や図６に示す隔壁３７を設けてもよい。この場合、隔壁３７は、配線コネクタ６のコネクタボディに設けられる。
【００４０】
図１４および図１５は発明を実施するための第６の異なる形態である。図１４は、回路基板収納箱における主要部を分解して示す。図１５は、回路基板収納箱における主要部の断面を示す。
【００４１】
図１４を参照し、回路基板収納箱における主要部の構造について説明する。ケースカバー２に形成された配線孔８が配線コネクタ６におけるコネクタボディの配線５の位置する面で塞がれる大きさである配線孔８は、配線コネクタ６のコネクタボディおよび配線コネクタ２４のコネクタボディを貫通させることができない大きさである。配線コネクタ２４は、配線５におけるケースカバー２の内側面から配線孔８を経由してケースカバー２の外側に引き出された他端に結合される。被覆部材９は、ケースカバー２の方向に突出する筒部５３を備える。筒部５３の外径は、配線孔８に挿入される大きさである。被覆部材９と筒部５３とには、配線孔５４が、被覆部材９の配線コネクタ６の側に位置する面と筒部５３のケースカバー２の側に位置する面とへの貫通孔として形成された形態であることを特徴とする。
【００４２】
図１５を参照し、回路基板収納箱の組み立てられた構造について説明する。回路基板３と基板コネクタ４と電気部品２２と配線コネクタ６および被覆部材９が閉鎖空間２７に格納され、ケースベース１とケースカバー２とが互いに結合された場合、筒部５３が配線孔８に閉鎖空間２７からケースカバー２の外側に向けて挿入され、配線５が閉鎖空間２７から配線孔５４を経由してケースカバー２の外側に引き出され、被覆部材９における筒部５３の周囲の面がカバー基盤１６の内側面に接触するかまたは接触する程度に近づいて対向して配線５と配線孔８との間の隙間３２を塞ぐ。配線５と配線孔５４との間の隙間５５、筒部５３と配線孔８との間の隙間５６が図１に示す不正操作部材７０の太さＤよりも小さい寸法に設定されれば、隙間２６が不正操作部材７０の太さＤよりも大きい寸法であっても、不正操作部材７０の閉鎖空間２７への侵入を防止できる。隙間２６；５５；５６が不正操作部材７０の太さＤよりも小さい寸法に設定されれば、不正操作部材７０の閉鎖空間２７への侵入防止が一層向上する。被覆部材９が配線孔８を塞ぐので、配線孔８の口径は、配線コネクタ６のコネクタボディおよび配線コネクタ２４のコネクタボディが通過する大きさであってもよい。被覆部材９が配線孔５４を備え、被覆部材９がカバー基盤１６の内側面と平行する方向に移動しないので、筒部５３は設けなくてもよい。
【００４３】
第４の異なる形態における固定部４４と固定部５０および装置取付部５１は、最良の形態、第１乃至第３、第５および第６の異なる形態のそれぞれに設けてもよい。基板コネクタ４が回路基板３に実装され、電気部品２２が回路基板３から除去された構造であって各実施の形態と同様に適用できる。
【図面の簡単な説明】
【００４４】
【図１】回路基板収納箱の主要部を示す断面図（最良の形態）。
【図２】回路基板収納箱を示す分解斜視図（最良の形態）。
【図３】回路基板収納箱の組み立て方を示す工程図（最良の形態）。
【図４】回路基板収納箱の主要部を示す分解斜視図（第１の異なる形態）。
【図５】回路基板収納箱の主要部を示す断面図（第１の異なる形態）。
【図６】回路基板収納箱の主要部を示す分解斜視図（第２の異なる形態）。
【図７】回路基板収納箱の主要部を示す断面図（第２の異なる形態）。
【図８】回路基板収納箱の主要部を示す分解斜視図（第３の異なる形態）。
【図９】回路基板収納箱の主要部を示す断面図（第３の異なる形態）。
【図１０】回路基板収納箱を示す分解斜視図（第４の異なる形態）。
【図１１】回路基板収納箱の組み立て途中を示す斜視図（第４の異なる形態）。
【図１２】回路基板収納箱の主要部を示す分解斜視図（第５の異なる形態）。
【図１３】回路基板収納箱の主要部を示す断面図（第５の異なる形態）。
【図１４】回路基板収納箱の主要部を示す分解斜視図（第６の異なる形態）。
【図１５】回路基板収納箱の主要部を示す断面図（第６の異なる形態）。
【図１６】回路基板収納箱の要部を示す断面図（従来）。
【図１７】回路基板収納箱の異なる要部を示す断面図（従来）。
【符号の説明】
【００４５】
１    ケースベース
２    ケースカバー
３    回路基板
４    基板コネクタ
５    配線
６    配線コネクタ
８    配線孔
９    被覆部材
２０  リブ
２４  配線コネクタ
２７  閉鎖空間
３７  隔壁
【図１】
2006247063.tif 000003
【図２】
2006247063.tif 000004
【図４】
2006247063.tif 000005
【図５】
2006247063.tif 000006
【図６】
2006247063.tif 000007
【図７】
2006247063.tif 000008
【図８】
2006247063.tif 000009
【図９】
2006247063.tif 000010
【図１１】
2006247063.tif 000011
【図１２】
2006247063.tif 000012
【図１３】
2006247063.tif 000013
【図１４】
2006247063.tif 000014
【図１５】
2006247063.tif 000015
【図１６】
2006247063.tif 000016
【図１７】
2006247063.tif 000017
【図３】
2006247063.tif 000018
【図１０】
2006247063.tif 000019